(57)【特許請求の範囲】
【請求項１】
多数のディンプル２が設けられたゴルフボールに於て、各ディンプル２は、１点のディンプル最深部１を有し、かつ、ディンプル平面視において該ディンプル最深部１がディンプル中心Ｏと一致しないことを特徴とするゴルフボール。
【請求項２】
ディンプル２のディンプル平面視形状が円形乃至長円である請求項１記載のゴルフボール。
【請求項３】
ディンプル２のディンプル平面視形状が正多角形である請求項１記載のゴルフボール。
【請求項４】
多数のディンプル２が設けられたゴルフボールに於て、各ディンプル２は、１点のディンプル最深部１を有し、かつ、ディンプル平面視において該ディンプル最深部１がディンプル中心Ｏと一致しないように形成され、ディンプル最深部１とディンプル中心Ｏとを通る直線Ｔと、ポールＰ，Ｐを通ると共にディンプル中心Ｏを通る大円帯６とが成す交差鋭角δを、−85°〜85°とし、かつ、上記ディンプル最深部１をディンプル中心ＯよりシームＳ側に配置したことを特徴とするゴルフボール。
【発明の詳細な説明】
【０００１】
【発明の属する技術分野】
本発明はゴルフボールに関する。
【０００２】
【従来の技術】
ゴルフボールのディンプルの役割は、ゴルフボールの飛行中において、ゴルフボールの周りの空気の流れを乱すことにより境界層の乱流遷移を促進し、乱流剥離を起こすことで、剥離点を後方に下げ圧力抵抗を小さくする点と、剥離点の上下差の助長により揚力を向上させる点の２点にある。即ち、ゴルフボールの周りの空気の流れをより乱すことのできるディンプルほど空力的に優れたディンプルであると言える。
【０００３】
そのため、上述のディンプルの役割に鑑みて、従来から、ゴルフボールの周りの空気の流れを乱すために種々の形状のディンプルを組み合わせたものが提案された。例えば、平面視形状を五角形又は六角形としたものや、断面形状を、異なる曲率を有する２種類の曲面（いわゆるダブルラジアス）で構成したもの、円形のものと非円形のものを組み合わせたもの等があった。
【０００４】
【発明が解決しようとする課題】
しかしながら、上述の従来のものでは、ゴルフボールの周りの空気の流れを乱す効果は十分でなく、所望の飛距離を得ることができなかった。
【０００５】
ところで、ゴルフボールは一般に上下一対の半割金型で成形されるため金型接合面であるパーティングラインにはディンプルを配することができない。従って、パーティングラインに対応するゴルフボール表面には、ディンプルと全く交差しない大円通路（大円帯）が一本形成されている。
【０００６】
また、ゴルフボールはゴルフクラブで打撃した場合、バックスピンを伴って飛行するが、バックスピンの回転軸がゴルフボールのどの位置にあっても同様に飛行すること、即ち、弾道高さ、滞空時間、飛距離に差がないことが望ましい。しかしながら、大円通路を有すれば、回転軸が上記大円通路と一致した場合（いわゆるシーム打ちの場合）と一致しない場合（いわゆるポール打ちの場合）とではディンプル効果に差が生じる。
【０００７】
このように、ゴルフボールの打撃位置の相違に基づく回転軸の違いにより飛行性能に差が生じると、そのゴルフボールは空力的対称性が悪く、プレーヤーの技量を正確に反映できないものとなる。
【０００８】
そこで、本発明では、ゴルフボールの周りの空気の流れを乱す効果を十分に有して、所望の飛距離を得ることができるゴルフボールの提供を一の目的とし、また、大円通路を有する場合であってもシーム打ちとポール打ちとにおける弾道差を解消して空力的対称性の良いゴルフボールの提供を他の目的とする。
【０００９】
【課題を解決するための手段】
上述の目的を達成するために、本発明に係る一のゴルフボールは、多数のディンプルが設けられたゴルフボールに於て、各ディンプルは、１点のディンプル最深部を有し、かつ、ディンプル平面視において該ディンプル最深部がディンプル中心と一致しないものである。
【００１０】
ディンプルのディンプル平面視形状としては、円形乃至長円であっても、正多角形であってもよい。
【００１１】
また、本発明に係る他のゴルフボールは、多数のディンプルが設けられたゴルフボールに於て、各ディンプルは、１点のディンプル最深部を有し、かつ、ディンプル平面視において該ディンプル最深部がディンプル中心と一致しないように形成され、ディンプル最深部とディンプル中心とを通る直線と、ポールを通ると共にディンプル中心を通る大円帯とが成す交差鋭角を、−85°〜85°とし、かつ、上記ディンプル最深部をディンプル中心よりシーム側に配置したものである。
【００１２】
【発明の実施の形態】
以下、本発明の実施の形態を図面に基づいて詳説する。
【００１３】
図１は本発明に係るゴルフボールを示し、このゴルフボールには、多数のディンプル２…が設けられている。なお、図１においては、図面の簡略化のために、ディンプル２を１個だけ描いている。
【００１４】
ところで、ディンプル２は、ディンプル平面視（ディンプル平面視とは、ディンプル２をそのディンプル中心Ｏとゴルフボール中心とを結ぶ直線上から見た場合をいう。）において、円形でかつディンプル最深部１がディンプル中心Ｏと一致しないように設定されている。言い換えれば、ディンプル最深部１とディンプル中心Ｏとを、球状表面（ゴルフボール表面）に投影したときに、それらが一致しないように設定する。即ち、図２に示すように、ディンプル最深部１が、ディンプル中心Ｏから寸法Ｌだけずれている。
【００１５】
このように、ディンプル最深部１をディンプル中心Ｏと一致しないように設定すれば、ディンプルのスロープとランドが成す角度を同一ディンプルにおいて変化させることができ、これによって、同一ディンプルにおいて変化させることができない従来のものに比べて、空気のかき取り効果を増大させることが可能となり、ゴルフボール周りの空気の流れをより大きく乱し、ゴルフボールの空力特性を向上させることができる。
【００１６】
さらに、ディンプル最深部１の位置としては、この図１に示すように、ポールＰ，Ｐを通りかつディンプル中心Ｏを通る大円帯（大円通路）６に対して、ディンプル最深部１とディンプル中心Ｏを通る直線Ｔとが所定角度を成し、かつ、ディンプル最深部１がディンプル中心ＯよりシームＳ側に配置されるようにすれば、ポール打ちとシーム打ちとにあまり差がなくなり、ゴルフボールの打撃位置の相違に基づく回転軸の違いによる飛行性能に差がなくなって、空力的対称性が良いゴルフボールとなる。
【００１７】
この所定角度、つまり、交差鋭角δとしては、−85°〜85°とされる。即ち、交差鋭角δは、大円帯６を中心に図るものであって、該大円帯６に対して何方か一方を＋とし、他方を−としたものであって、大円帯６に対して、何方かに０〜85°だけ傾斜している。この範囲としたのは、交差鋭角δが85°を越えれば、ディンプル最深部１がディンプル中心ＯよりシームＳ側に配置されていると言えないからである。
【００１８】
しかして、ディンプル２のディンプル平面視の形状としては、図１と図２に示すような円形以外に、図３〜図５に示す種々の形状のものであってもよい。即ち、図３に示すディンプル２では正五角形であり、図４に示すディンプル２では正三角形であり、図５に示すディンプル２では長円形である。
【００１９】
具体的には、図３に示す正五角形の場合、ディンプル最深部１は、一つの頂点７とディンプル中心Ｏとを結ぶ線の延長線上の、この頂点７に対向する一辺側にある。図４に示す正三角形の場合も、ディンプル最深部１は、頂点７とディンプル中心Ｏとを結ぶ線の延長線上の、この頂点７に対向する一辺側にある。図５に示す長円形の場合、その底面が、浅い一方の円弧状部３と、深い他方の円弧状部４と、一方の円弧状部３から順次他方の円弧状部４に向って深くなるスロープ部５と、からなる。なお、図３〜図５において、各（イ）はディンプル平面視における形状を示し、各（ロ）は断面形状を示している。
【００２０】
しかして、本発明に係るゴルフボールとしては、ワンピースボール、糸巻きボール、多層構造のソリッドボール等の種々のボールを採用することができる。また、各ゴルフボールのディンプル数は、例えば、 300〜 600個とするのが好ましいが、勿論これに限るものではない。
【００２１】
なお、一つのゴルフボールにおいて、形状や大きさの相違する複数種類のディンプル２を備えていてもよい。また、ディンプル２の形状としても、図例のものに限らず、ディンプル平面視において、正六角形乃至それ以上の多角形であってもよい。また、ディンプル最深部１のディンプル中心Ｏからのずれ寸法Ｌとしては、例えば、 0.2mm〜＊mmとされる。ここで、＊とは、ディンプルの形状が、円形や長円形である場合においては（半径× 0.9）mmや（長半径× 0.9）mmを示し、三角形等の多角形の場合においては（頂点から中心までの長さ× 0.9）mmを示している。即ち、 0.2mm未満であれば、ディンプルのスロープとランドが成す角度を同一ディンプルにおいてあまり変化させることができず、あまり空気のかき取り効果の増大を図れないからであり、逆に、＊mmを越えれば、ディンプルのスロープとランドとが成す角度を同一ディンプルにおいて変化させすぎとなり、好ましくないからである。
【００２２】
【実施例】
次に、実施例を示す。
即ち、表１に示す種々のディンプルを組み合わせて種々のゴルフボールを形成して、各ゴルフボールについてのボール性能をテストして、その結果を、表２に記載した。
【００２３】
【表１】
0003909124.tif 000002
【００２４】
【表２】
0003909124.tif 000003
【００２５】
表１において、平面形状とは、ディンプル平面視における各ディンプルの形状を示し、断面形状の欄のオフセットとは、ディンプル平面視においてディンプル最深部をディンプル中心と一致させない場合を示し、シングルラジアスとは、ディンプル最深部とディンプル中心とを一致させ、かつ、底面を球曲面とし、シングルスロープとは、ディンプル最深部とディンプル中心とを一致させ、かつ、底面を傾斜面としている。
【００２６】
また、Ｌ1 は、図２に示すように、Ａ，Ｂ，Ｆのディンプルでは各ディンプル半径を示し、図３と図４に示すように、Ｃ，Ｄ，Ｇのディンプルではディンプル中心から各頂点までの寸法を示し、図５に示すように、Ｅのディンプルでは一方の円弧状部の平面視における半径を示している。また、Ｅのディンプルでは、Ｌ2 は他方の円弧状部の平面視における半径を示し、Ｌ3 は各円弧状部の中心間距離を示している。
【００２７】
さらに、Ｌは、図２等に示すようにディンプル最深部のディンプル中心からのずれ量を示し、Ｆ1 はＥ以外のディンプルにおけるディンプル最深部の深さを示し、Ｅのディンプルでは、図５に示すように、一方の円弧状部の深さ、つまり、スロープ部の最浅部の深さを示し、Ｆ2 は、他方の円弧状部の深さ、つまり、スロープ部の最深部の深さを示している。
【００２８】
そして、第１実施例では、表１のＡのディンプルを有するゴルフボール（ディンプル数を 410とした。）、第２実施例では、表１のＡ及びＢのディンプルが混在したゴルフボール（Ａのディンプル数を 210とし、Ｂのディンプル数を 200とした。）、第３実施例では、表１のＣのディンプルを有するゴルフボール（ディンプル数を 336とした。）、第４実施例では、表１のＤのディンプルを有するゴルフボール（ディンプル数を 336とした。）、第５実施例では、表１のＡ及びＥのディンプルが混在したゴルフボール（Ａのディンプル数を 352とし、Ｅのディンプル数を80とした。）を使用した。また、第１・第２従来例についても同様にテストした。第１従来例では、表１のＦのディンプルを有するゴルフボール（ディンプル数を 410とした。）、第２従来例では、表１のＧのディンプルを有するゴルフボール（ディンプル数を 336とした。）を使用した。
【００２９】
表２から分かるように、第１〜第５の各実施例は、第１・第２従来例に比べて飛行性能（キャリー、ラン、トータル、弾道仰角）が優れていることがわかる。なお、各テストは、打撃マシン（ツルーテンパー社製のスイングロボット）にて各８回打撃し、その平均値を表２に示している。
【００３０】
しかして、上述の第１〜第５実施例では、ディンプルの最深部の位置をシームＳに対して、自由（アトランダム）に設定したので、ディンプル最深部がディンプル中心よりシーム側に配置されるとは限らないが、次の第６・第７実施例では、表３に示すように、ディンプル最深部とディンプル中心とを通る直線と、ポールを通ると共にディンプル中心を通る大円帯とが成す角度を限定して、ディンプル最深部をディンプル中心よりシーム側に配置し、各ディンプルの最深部の位置を設定している。
【００３１】
【表３】
0003909124.tif 000004
【００３２】
第６実施例では、▲１▼〜▲４▼の４種類のディンプルを有し、第７実施例では、▲５▼と▲６▼の２種類のディンプルを有し、第１比較例では、ａ〜ｄの４種類のディンプルを有し、第２比較例では、ｅとｆの２種類のディンプルを有している。なお、この場合、各ディンプルは全て円形とし、表３のオフセット寸法は、ディンプルの最深部の中心からのずれ量であり、δ角は、ディンプル最深部とディンプル中心とを通る直線と、ポールを通ると共にディンプル中心を通る大円帯とが成す角度である。
【００３３】
また、第６・第７実施例及び第１・第２比較例では、ポール打ちとシーム打ちについて、キャリーと弾道仰角について調べた。これらの場合、打撃マシン（ツルーテンパー社製のスイングロボット）にて各24回打撃し、その平均値を表４に示している。
【００３４】
【表４】
0003909124.tif 000005
【００３５】
第６・第７実施例は、第１・第２比較例に比べて、ポール打ちとシーム打ちとにあまり差がなかった。即ち、ゴルフボールの打撃位置の相違に基づく回転軸の違いによる飛行性能に差がなく、そのゴルフボールは空力的対称性が良く、プレーヤーの技量を正確に反映できる。
【００３６】
ところで、上述の各実施例、比較例、従来例の各ゴルフボールは、ラージサイズツーピースボールを使用した。
【００３７】
【発明の効果】
本発明は上述の如く構成されているので、次に記載する効果を奏する。
【００３８】
▲１▼  請求項１又は２によれば、空気のかき取り効果を増大させることが可能となって、ゴルフボールの周りの空気の流れを大きく乱し、ゴルフボールの空力特性を向上させ、飛距離の増大を図ることができる。
【００３９】
▲２▼  請求項３によれば、請求項１と同様の効果を奏すると共に、ゴルフボールの周りの空気の流れをより大きく乱すことができ、飛距離の増大を一層図ることができる。
【００４０】
▲３▼  請求項４によれば、シーム打ちとポール打ちとにおける弾道差を解消し、空力的対称性の良いゴルフボールとなる。即ち、どの部位を打撃位置しても、弾道高さ、滞空時間、飛距離に差が生じないゴルフボールとなる。
【図面の簡単な説明】
【図１】本発明に係るゴルフボールの簡略図である。
【図２】ディンプルの説明図である。
【図３】他のディンプルの説明図である。
【図４】別のディンプルの説明図である。
【図５】さらに別のディンプルの説明図である。
【符号の説明】
１  ディンプル最深部
２  ディンプル
６  大円帯
Ｏ  ディンプル中心
Ｐ  ポール
Ｓ  シーム
Ｔ  直線
δ  交差鋭角
【図１】
0003909124.tif 000006
【図２】
0003909124.tif 000007
【図３】
0003909124.tif 000008
【図４】
0003909124.tif 000009
【図５】
0003909124.tif 000010